(57)【要約】【課題】仕様の異なる光ディスクに対する記録又は再生が可能な安価で小型な互換光ピックアップを提供する。【解決手段】光ピックアップ装置は、レーザ光源１０１から出射した光束を２つの光路に切り換える光路切換手段と、第１の光ディスク及び第１対物レンズに対応する第１の球面収差補正素子１４と、第２の光ディスク及び第２対物レンズに対応する第２の球面収差補正素子２４とを有する。球面収差補正素子１４及び２４は共通のレンズホルダ３２に配置される。レンズホルダ３２は駆動素子３３によりレンズ光軸方向に移動可能である。【選択図】図２
2008065888.tif 000002
【特許請求の範囲】
【請求項１】
複数の記録面を有する第１の光ディスクと、複数の記録面を有し、前記第１の光ディスクと仕様が異なる第２の光ディスクとに対応可能な光ピックアップ装置において、
レーザ光源と、
前記レーザ光源から出射した光束を、前記第１の光ディスクの各記録面に集束させるための第１対物レンズと、
前記レーザ光源から出射した光束を、前記第２の光ディスクの各記録面に集束させるための第２対物レンズと、
前記レーザ光源から出射した光束を、前記第１対物レンズに向かう第１光路と前記第２対物レンズに向かう第２光路に切り換える光路切換手段と、
前記第１光路上に配置され、前記第１の光ディスク及び前記第１対物レンズに対応する第１の球面収差補正素子と、
前記第２光路上に配置され、前記第２の光ディスク及び前記第２対物レンズに対応する第２の球面収差補正素子とを有する光ピックアップ装置。
【請求項２】
前記第１の球面収差補正素子と、前記第２の球面収差補正素子とを、単一の駆動手段を用いて移動させることを特徴とする請求項１に記載の光ピックアップ装置。
【請求項３】
更に、前記第１の球面収差補正素子と、前記第２の球面収差補正素子とを、光軸に直交する方向に並んだ状態で保持するレンズホルダを有し、
前記駆動手段は、前記レンズホルダを光軸方向に移動させること特徴とする請求項１又は２に記載の光ピックアップ装置。
【請求項４】
前記第１の球面収差補正素子の焦点距離ｆ１と、前記第２の球面収差補正素子の焦点距離ｆ２が互いに異なることを特徴とする請求項１から３のいずれか一項に記載の光ピックアップ装置。
【請求項５】
前記第１の球面収差補正素子及び前記第２の球面収差補正素子は、互いの光学素子の有効光束径以外の部分が重なり合うように配置されていることを特徴とする請求項１から４のいずれか一項に記載の光ピックアップ装置。
【請求項６】
前記第１の光ディスクがＢｌｕ−ｒａｙ  Ｄｉｓｃであり、前記第２の光ディスクがＨＤ  ＤＶＤであることを特徴とする請求項１から５のいずれか一項に記載の光ピックアップ装置。
【請求項７】
前記仕様は、光ディスクの基板の厚さであることを特徴とする請求項１から６のいずれか一項に記載の光ピックアップ装置。
【請求項８】
前記第１の球面収差補正素子は、前記第１対物レンズに発散光又は収束光が入射されるように設計され、
前記第２の球面収差補正素子は、前記第２対物レンズに発散光又は収束光が入射されるように設計されていることを特徴とする請求項１から７のいずれか一項に記載の光ピックアップ装置。
【請求項９】
請求項１から８のいずれか一項に記載の光ピックアップ装置を備える光ディスク装置。
【発明の詳細な説明】
【技術分野】
【０００１】
本発明は、基板厚さの異なる複数の多層光ディスクに対する記録又は再生が可能な互換光ピックアップ装置及びそれを備える光ディスク装置に関する。
【背景技術】
【０００２】
ＣＤとＤＶＤは透明基板の厚みが互いに異なっている。透明基板厚の互いに異なる光ディスクを単一の光ピックアップ装置で再生可能とするには、透明基板厚の違いにより発生する球面収差を補正する必要がある。例えば、特許文献１には、透明基板の厚みに応じて対物レンズに入射する光束の発散度を変える発散度変更手段を有する情報ピックアップ装置が開示されている。
【０００３】
また、特許文献２には、光ディスクの表面樹脂層の厚みに起因して発生する球面収差の補正を複数の規格に対応して行う球面収差補正装置と、そのような球面収差補正装置を備えた光ピックアップ装置に関する発明が開示されている。
【０００４】
また、特許文献３には、１種類以上の波長のレーザ光を出射する光源、コリメータレンズ又はエキスパンダレンズ、および対物レンズを少なくとも有する第１および第２光学系と、第１および第２光学系の、コリメータレンズまたはエキスパンダレンズを光軸方向に移動させる移動手段とを備える光ピックアップ装置が開示されている。
【０００５】
【特許文献１】特開平９−１７０２３号公報
【特許文献２】特開２００６−１８９４８号公報
【特許文献３】特開２００６−１７２６１１号公報
【発明の開示】
【発明が解決しようとする課題】
【０００６】
近年、次世代ＤＶＤとして、第１の次世代ＤＶＤであるＨＤ ＤＶＤ（以下ＨＤと略記する）と第２の次世代ＤＶＤであるＢｌｕ−ｒａｙ Ｄｉｓｃ（以下ＢＤと略記する）という光ディスクの基板厚さが異なる仕様の２種類が提案され、必要とする対物レンズの開口数も大きくなっている。さらには、記憶容量の拡大を目的とし、記録面を複数有する光ディスク（以下、多層光ディスクともいう）についても提案されている。
【０００７】
多層光ディスクでは、光入射面から各記録面までの距離が互いに異なる。すなわち、各記録面までの透明基板の厚み（以下、単に透明基板厚という）が実質的に異なっている。そのため、記録面に集光させる対物レンズの設計仕様の透明基板厚からの誤差に比例して球面収差が発生する。この球面収差は、対物レンズの開口数（ＮＡ）の４乗に比例し、波長に反比例して増加する。高開口数が必要となる記録可能ＤＶＤを記録再生するための光ピックアップ装置や、青紫レーザダイオード用の次世代ＤＶＤを記録又は再生する光ピックアップ装置では、このような透明基板厚の違いにより発生する球面収差は深刻である。
【０００８】
また、上記のような状況の中、一つの光ピックアップ装置で、ＨＤやＢＤだけでなく、ＣＤ又はＤＶＤなどの規格にも対応させるためには、球面収差を補正するための素子が複数個必要となる。そのため、光ピックアップ装置本体が大型化してしまい、また価格も高くなってしまう。
【０００９】
本発明は、かかる実情に鑑みてなされたものであり、複数の記録層を有する互いに仕様の異なる光ディスクに対応可能な小型で低価格の光ピックアップ装置とそれを備える光ディスク装置を提供することを目的とする。
【課題を解決するための手段】
【００１０】
上記の目的を達成させるために、本発明の光ピックアップ装置は、２つの対物レンズと、それら２つの対物レンズにそれぞれ対応する２つの球面収差補正素子と、レーザ光源から出射した光束を、各対物レンズにそれぞれ向かうように光路を切り換える光路切換手段とを有する。
【発明の効果】
【００１１】
本発明によれば、複数の記録層を有する互いに仕様の異なる光ディスクに対応可能な小型で低価格の光ピックアップ装置とそれを備える光ディスク装置を提供することができる。
【発明を実施するための最良の形態】
【００１２】
以下、本発明にかかる光ピックアップ装置とそれを備える光ディスク装置の実施形態について説明する。
【００１３】
図１は、第１の実施例の光ピックアップ装置に使用する球面収差補正素子ユニット３１を模式的に示す図である。球面収差補正素子ユニット３１は、２層の記録面を有する第１の光ディスク１０に対応した球面収差補正素子（レンズ１４）と、２層の記録面を有する第２の光ディスク２０に対応した球面収差補正素子（レンズ２４）とを備える。レンズ１４は、第１の光ディスクに光を集光させるための第１対物レンズ１３に発散光又は収束光が入射されるように設計され、レンズ２４は、第２の光ディスク２０に光を集光させるための第２対物レンズ２３に発散光又は収束光が入射されるように設計されている。
【００１４】
球面収差補正素子ユニット３１には、単一のレンズホルダ３２に横並びにレンズ１４とレンズ２４とが配置され、単一の駆動素子３３の動力にてレンズホルダ３２を移動させることによって２つのレンズが光軸方向に平行移動することになる。
【００１５】
光ディスク１０は、第１記録面１１と第２記録面１２とを有する光ディスクである。第１記録面１１と第２記録面１２との間には透明樹脂層が形成されており、これにより、第１記録面１１に対する透明基板厚と第２記録面１２に対する透明基板厚が実質的に異なっている。図１に示した例では、対物レンズ１３と、この対物レンズ１３に対応するレンズ１４からなる光学系により、光ディスク１０に光束を集光させる。
【００１６】
ここで、２つの記録面を有する光ディスク１０の記録又は再生時の球面収差補正素子ユニット３１の動作について説明する。
【００１７】
光ディスク１０の第１記録面１１の記録又は再生の場合は、球面収差補正素子ユニット３１を駆動して、第１記録面１１に集光する光が第１記録面１１にて最良の収差となるように、レンズ１４を任意の位置１７に移動させる。これにより、レンズ１４から出射された光束は、実線に示す光束１６から破線に示す光束１５に変化する。光束１５は、アパーチャー１９によって部分的に制限された後、対物レンズ１３に入射する。
【００１８】
光束１５は、対物レンズ１３に入射することにより収差が発生し、この収差を利用して、第１記録面１１に対する透明基板厚と第２記録面１２に対する透明基板厚の違いにより発生する収差が補正される。
【００１９】
一方、第１記録面１１から所定間隔離れた位置にある第２記録面１２の記録又は再生の場合は、球面収差補正素子ユニット３１を駆動して、第２記録面１２に集光する光が第２記録面１２にて最良の収差となるように、レンズ１４を任意の位置１８に移動させる。これにより、レンズ１４から出射された光束は、破線に示す光束１５から実線に示す光束１６に変化する。光束１６は、アパーチャー１９によって部分的に制限された後、対物レンズ１３に入射する。光束１６は、対物レンズ１３に入射することにより収差が発生し、この収差を利用して、第１記録面１１に対する透明基板厚と第２記録面１２に対する透明基板厚の違いにより発生する収差が補正される。
【００２０】
次に、光ディスク１０とは仕様の異なる光ディスク２０を記録又は再生する時の球面収差補正素子ユニット３１の動作について説明する。
【００２１】
光ディスク２０は、第１記録面２１と第２記録面２２の２つの記録面を有する。光ディスク２０の透明基板の厚みは、光ディスク１０の透明基板の厚みと異なっている。光ディスク２０を記録又は再生する場合は、対物レンズ２３と、この対物レンズ２３に対応するレンズ２４からなる光学系によって、光ディスク２０に光束を集光させる。
【００２２】
光ディスク２０の第１記録面２１の記録または再生時は、球面収差補正素子ユニット３１を駆動させて、記録面２1に集光する光が記録面２１にて最良の収差となるように、任意の位置２７にレンズ２４を移動させる。これにより、レンズ２４から出射された光束が実線に示す光束２６から破線に示す光束２５に変化する。光束２６は、アパーチャー２９によって部分的に制限された後、対物レンズ２３に入射する。
【００２３】
光束２５は、対物レンズ２３に入射することにより収差が発生し、この収差を利用して、第１記録面２１に対する透明基板厚と第２記録面２２に対する透明基板厚の違いにより発生する収差が補正される。
【００２４】
また、光ディスク２０の第２記録面２２の記録又は再生時には、球面収差補正素子ユニットは、第２記録面２２に集光される光が第２記録面２２にて最良の収差となる任意の位置２８にレンズ２４が移動されるように駆動される。これにより、レンズ１４から出射された光束が破線に示す光束２５から実線に示す光束２６に変化する。光束２６は、アパーチャー２９によって部分的に制限された後、対物レンズ２３に入射する。光束２６は、対物レンズ２３に入射することにより収差が発生し、この収差を利用して、第１記録面２１に対する透明基板厚と第２記録面２２に対する透明基板厚の違いにより発生する収差が補正される。
【００２５】
球面収差補正素子ユニットを上記構成にすることにより高ＮＡな対物レンズを有する光ピックアップにおいても、仕様の異なる２層ディスクを良好に記録再生することができるという効果が得られる。
【００２６】
また、ここでは、２層の記録面を有する光ディスクを用いて説明を行ったが、それに限ることではなく、３層以上の記録面を有する光ディスクであっても何ら構わない。
【００２７】
次に、図１に示す球面収差補正素子ユニットとは別の構成例について説明する。図２に、球面収差補正素子ユニット３１の図１とは別の構成例を示す。
【００２８】
図２に示す球面収差補正素子ユニット３１においては、レンズ１４とレンズ２４とが、単一のレンズホルダ３２に互いのレンズの有効光束径外の部分が重なるように配置されている。レンズ１４とレンズ２４は、光軸方向に互いにずれて配置されている。かかる球面収差補正素子ユニット３１も、図１に示す球面収差補正素子ユニットと同様に、単一の駆動素子３３の動力によって２つのレンズを光軸方向に平行移動させることができる。駆動素子３３としては、例えば、モータを利用することができ、モータの回転力を利用してレンズホルダ３２を光軸方向に移動させる。駆動素子としてはモータに限定されず、レンズホルダを前後させることが可能な種々のアクチュエータを利用できる。
【００２９】
図２に示した例では、レンズ１４の焦点距離ｆ１とレンズ２４の焦点距離ｆ２が異なるように設定されることが好ましい。これにより、互いのレンズの位置を光軸方向に自由に配置させることができる。
【００３０】
また、レンズ１４とレンズ２４とを光軸方向に互いにずらすことにより、レンズ１４とレンズ２４の互いの光束有効径外の部分を重ねて配置させることが可能となっている。
【００３１】
その結果、対物レンズ同士の間隔４０を縮めることが可能となり、球面収差補正ユニット３１の小型化に加えて、対物レンズを搭載させるアクチュエータの小型化をも達成できるという効果がある。
【００３２】
さらに、対物レンズ間隔４０を小さくすることにより、対物レンズを搭載するアクチュエータの重心を中央に近づけることが可能となりアクチュエータの性能を向上することができるという効果もある。
【００３３】
また、図２に示すように球面収差補正用のレンズを一部重ねて配置する構成の場合は、レンズは円形であることが好ましい。これにより、収差の方向を確認しながら、収差が最良となる方向にレンズを回転させたとしても、互いのレンズの位置関係が制限されることはなく、簡単に収差方向を調整してレンズの取り付けを行うことができる。また、円形状は等方的な形状であるので、比較的簡単に、収差の発生の防止又は抑制されたレンズを作製できるという効果もある。
【００３４】
また、本実施例の構成を取るに際し、レンズ１４とレンズ２４を搭載するレンズホルダ３２のレンズ搭載部分の構成としては、どちらか一方のレンズは固定できる構成とし、もう一方のレンズの搭載部分には、レンズの搭載位置を調整できるようレンズ外径に対し、余裕を持った形状とすることが望ましい。
【００３５】
このような構成を採用することでレンズホルダが有するレンズ搭載位置の公差によるバラツキと、搭載する２つのレンズの外径の公差によるバラツキを吸収することができるという効果が得られる。
【００３６】
本実施形態を説明するにあたり、図１及び図２に示した球面収差補正素子においては凸レンズを使用した構成で説明したがその限りではなく、球面収差補正素子自体がレンズ効果を有し、光軸方向に位置を移動することで対物レンズへ入射する光束の発散集束度合いを変化することができる素子であれば何ら構わない。例えば、両凹レンズや両凸レンズ、平凹レンズ、フレネルレンズ、液晶レンズなどの素子を利用することができる。
【００３７】
上述した構成の球面収差補正素子ユニットを採用することで、単一の駆動手段３３にて第１の対物レンズ（例えば、ＨＤ/ＤＶＤ/ＣＤ互換対物レンズ）に対し第１の球面収差補正素子（ＨＤ用）と、第２の対物レンズ（ＢＤ用）に対し第２の球面収差補正素子（ＢＤ用）とを駆動でき、異なる仕様のディスクにおいてディスクに合った最良の収差状態に補正することによりすべてのディスクにおいて良好な記録再生ができる。
【００３８】
また、球面収差補正素子を略平行に配置することで駆動手段を一つとすることができ、個別の駆動手段を必要としないことから、安価でかつ小スペース化を可能となる効果がある。
【００３９】
次に、上述した球面収差補正素子ユニット３１を搭載した光ピックアップ装置について説明する。
【００４０】
図３には、一例として、図２に示した球面収差補正素子ユニットを搭載した光ピックアップ装置の光学系の模式図を示した。また、図４には、図３に示す光ピックアップ装置の光学系を紙面左側から見た模式図を示した。光ピックアップ装置は、ＣＤ、ＤＶＤ、ＢＤ、ＨＤ  ＤＶＤの４種類の媒体に対応した光ピックアップ装置である。
【００４１】
まず、かかる光ピックアップ装置のＣＤ光学系について説明する。
【００４２】
ＣＤレーザ３０１は、ＣＤ用の波長７８５ｎｍの赤外レーザである。レーザの発振波長は７８５ｎｍ付近であればよく、７８５ｎｍに限定されるものではない。ＣＤレーザ３０１を出射したＣＤ光３０２は、１／２波長板３１０、レンズ３０３、回折格子３０４を透過し、偏光ビームスプリッタ３０５で反射される。そして、ＣＤ光３０２は、レンズ３０６を透過し、複合型立上プリズム３０７にて反射された後、レンズ３０８、１／４波長板３０９を透過し、ＨＤ/ＤＶＤ/ＣＤ互換対物レンズ１３に入射する。そして、ＨＤ/ＤＶＤ/ＣＤ互換対物レンズ１３を出射したＣＤ光は、ＣＤディスク１００に集光される。なお、１／４波長板３０９は、開口制限素子付きの広帯域１／４波長板である。
【００４３】
ＣＤディスク１００で反射されたＣＤ光は、ＨＤ/ＤＶＤ/ＣＤ互換対物レンズ１３、１／４波長板３０９、レンズ３０８を順に透過し、複合型立上プリズム３０７にて反射される。
【００４４】
そして、レンズ３０６、偏光ビームスプリッタ３０５、波長選択性１／２波長板３１１を透過し、偏光ビームスプリッタ３１２で反射され、レンズ３１３を透過し、光検出器３１４に入射する。
【００４５】
つぎに、ＤＶＤ光学系について説明する。
【００４６】
ＤＶＤレーザ２０１は、波長６６０ｎｍの赤色レーザである。レーザの発振波長については６６０ｎｍ付近であればよく、６６０ｎｍに限定されるものではない。ＤＶＤレーザ２０１を出射したＤＶＤ光２０２は、１／２波長板２０３、回折格子２０４を透過し、偏光ビームスプリッタ２０５で反射される。次いで、ＤＶＤ光２０２は、偏光ビームスプリッタ３１２、波長選択性１／２波長板３１１、偏光ビームスプリッタ３０５、レンズ３０６を透過し、複合型立上プリズム３０７にて反射された後、レンズ３０８、１／４波長板３０９を透過し、ＨＤ/ＤＶＤ/ＣＤ互換対物レンズ１３に入射する。そして、ＨＤ/ＤＶＤ/ＣＤ互換対物レンズ１３を出射したＤＶＤ光は、ＤＶＤディスク２００に集光される。
【００４７】
ＤＶＤディスク２００で反射されたＤＶＤ光２０２は、ＨＤ/ＤＶＤ/ＣＤ互換対物レンズ１３、1/4波長板３０９、レンズ３０８を透過し、複合型立上プリズム３０７にて反射される。
【００４８】
そして、レンズ３０６、偏光ビームスプリッタ３０７、波長選択性１／２波長板３１１、偏光ビームスプリッタ３１２、偏光ビームスプリッタ２０５、レンズ２０６を透過し、光検出器２０７に入射する。
【００４９】
次に、ＨＤ／ＢＤ光学系について説明する。
【００５０】
ＨＤ／ＢＤレーザ１０１は、波長４０５ｎｍの青紫レーザである。もちろん、レーザの発振波長は４０５ｎｍ付近であればよく、４０５ｎｍに限定されるものではない。ＨＤ／ＢＤレーザ１０１を出射したＨＤ/ＢＤ光１０２は、ビーム整形素子１０３、回折格子付き可変偏光切替素子１０４を透過し、偏光ビームスプリッタ１０５にて、偏光の向きにより、ＨＤ光１２０とＢＤ光１３０に分割される。本実施形態では、１つのレーザ光源（ＨＤ／ＢＤレーザ１０１）から出射した光束を、光路切換手段４０１により２つの光路に切り換えている。
【００５１】
ここで、ＢＤ光とＨＤ光の光路切換手段４０１について、より詳しく説明する。
【００５２】
図３に示す例では、光路切換手段４０１は、可変偏光切換素子１０４と、偏光ビームスプリッタ１０５と、三角プリズム１２１とから構成される。
【００５３】
可変偏光切換素子１０４は、入射した光束の偏光を切り換える素子であり、例えば、液晶素子を利用することができる。偏光ビームスプリッタ１０５は、偏向方向に応じて光を透過又は反射させる光学素子である。ここでは、偏光ビームスプリッタ１０５は、Ｓ偏光は反射し、Ｐ偏光は透過するように構成されている。可変偏光切換素子１０４は、ＢＤの記録又は再生時には、入射光束をＳ偏光に切り換え、ＨＤの記録又は再生時には、Ｐ偏光に切り替える。これにより、ＢＤの記録又は再生時は、可変偏光切換素子１０４を出射した光束は、Ｓ偏光になっているので、偏光ビームスプリッタ１０５で反射する。一方、ＨＤの記録又は再生時は、可変偏光切換素子１０４を出射した光束は、Ｐ偏光になっているので、偏光ビームスプリッタ１０５を透過する。偏光ビームスプリッタ１０５を透過した光束は、三角プリズム１２１で反射され、レンズ１４に入射する。ここでは、三角プリズムを用いたが、偏光ビームスプリッタを透過した光束をレンズ１４に向けて反射させることができればよく、例えば、ミラーを用いてもよい。こうして、ＢＤ光とＨＤ光が切り換えられる。
【００５４】
なお、ここでは、ＢＤの記録又は再生時には、可変偏光切換素子１０４で、入射光束をＳ偏光に切り換え、ＨＤの記録又は再生時にはＰ偏光に切り替えたが、この逆でもよい。この場合は、偏光ビームスプリッタ１０５を、Ｓ偏光は透過し、Ｐ偏光は反射するように構成すればよい。
【００５５】
また、ここでは、偏向方向を切り換える可変偏光切換素子１０４として、液晶素子を用いたが、これに限定されるものではなく、偏向方向を切り換える手段としては、例えば、１枚の１／２波長板と１枚の透明ガラスなどを用いて機械的に入れ替えを行う構成としてもよい。
【００５６】
具体的には、電磁力により回転するロータの所定位置に１／２波長板と透明ガラスを貼り付け、これを回転させて光路内に１／２波長板と透明ガラスを入れ替えるように構成しても偏光切換機能を実現することができる。また、回転動作ではなく、直線運動による機構を利用して構成することもできる。
【００５７】
ＨＤ／ＢＤ光学系の説明に戻る。
【００５８】
偏光ビームスプリッタ１０４を透過したＨＤ光１２０は、三角プリズム１２１で反射され、レンズ１４を透過し、複合型立上プリズム３０７にて反射され、レンズ３０８、１／４波長板３０９を透過し、ＨＤ/ＤＶＤ/ＣＤ互換対物レンズ１３に入射する。そして、ＨＤ/ＤＶＤ/ＣＤ互換対物レンズ１３を出射したＨＤ光１２０は、ＨＤディスク１０に集光される。
【００５９】
ＨＤディスク１０で反射されたＨＤ光１２０は、ＨＤ/ＤＶＤ/ＣＤ互換対物レンズ１３、１／４波長板３０９、レンズ３０８を透過し、複合型立上プリズム３０７にて反射される。
【００６０】
そして、レンズ１４を透過し、三角プリズム１２１で反射され、偏光ビームスプリッタ１０５で反射され、レンズ１０６を透過し、光検出器１０７に入射する。
【００６１】
一方、偏光ビームスプリッタ１０４で反射されたＢＤ光１３０は、レンズ２４を透過し、ミラー１３２で反射され、１／４波長板１３３、ＢＤ用対物レンズ２３を入射する。そして、ＢＤ用対物レンズ２３を出射したＢＤ光１３０は、ＢＤディスク２０に集光される。
【００６２】
ＢＤディスク２０で反射されたＢＤ光１３０は、ＢＤ用対物レンズ２３、１/４波長板１３３を透過し、ミラー１３２で反射され、レンズ２４、偏光ビームスプリッタ１０５、レンズ１０６を透過し光検出器１０７に入射する。
【００６３】
ＣＤ用受光素子３８、ＤＶＤ用受光素子４４、または、受光素子３０で得られた信号は、図５に示す光ディスク装置の信号処理部で信号処理される。再生時は、再生信号を得るとともに、サーボ信号作成部にて対物レンズがフォーカス制御、トラッキング制御される信号を作成する。それら制御信号は、ＡＦ−ＴＲ制御回路に入力され、ＡＦ（オートフォーカス）制御と、ＴＲ（トラッキング）制御が行われる。また、チルト信号作成部にてチルト駆動信号が作成され、チルト駆動回路を経由してチルトコイルにチルト電流が印加され、対物レンズを含む可動部がチルト動作を行う。
【００６４】
これらのシステムコントロールが信号処理部でなされ、最良な光学特性が得られるようにコントロールされる。
【００６５】
かかる光ピックアップ装置は、光ディスク装置に装着されて使用される。光ディスク装置は、光ピックアップ装置により得た信号を信号処理して再生信号を得、モータなどの回転駆動機構によって回転している情報記録再生媒体に記録されている情報を再生する。また、光ディスク装置は、情報記録再生媒体に、光ピックアップ装置から記録光を照射して、ＣＤ、ＤＶＤ、ＢＤ、ＨＤ  ＤＶＤなどの各種の情報記録再生媒体に情報を記録することができる。
【００６６】
以上説明してきたように、本発明に従う光ピックアップ装置では、第１の対物レンズ（ＨＤ/ＤＶＤ/ＣＤ用対物レンズ）に対し第１の球面収差補正素子（ＨＤ用）を配置し、第２の対物レンズ（ＢＤ用）に対し第２の球面収差補正素子（ＢＤ用）を配置したことにより、多層構造を有する、異なる基板厚のディスクに対し最適な球面収差補正を可能とすることができる。これにより、ＣＤ、ＤＶＤ、第１の次世代ＤＶＤ、第２の次世代ＤＶＤの４種類の光ディスクに対する良好な記録・再生が可能な、４種類のディスク互換の光ピックアップ装置を提供することができる。
【００６７】
また、球面収差補正素子を略平行に配置することで駆動手段を一つとすることができ、個別の駆動手段を必要としないことから、安価でかつ小スペース化を可能となる効果がある。
【００６８】
以上、本発明に従う光ピックアップ装置及びそれを備える光ディスク装置について説明したが、本発明はこれに限定されるものではなく、本発明の趣旨を逸脱しない範囲において種々の改良を行うことができる。
【００６９】
例えば、上記実施形態では、多層の光ディスクに対する球面収差補正素子ユニットの動作を説明したが、基板厚の互いに異なる光ディスクに対しても球面収差補正素子ユニットを用いた収差補正を行うこともできる。
【図面の簡単な説明】
【００７０】
【図１】図１は、第１の実施例の光ピックアップに使用する球面収差補正素子ユニットの構成を示す説明図である。
【図２】第１及び第２の球面収差補正素子の光束有効径外部分を重ねて配置した球面収差補正素子ユニットの概略構成図である。
【図３】球面収差補正素子ユニットを使用した光ピックアップ光学系の模式的正面図である。
【図４】球面収差補正素子ユニットを使用した光ピックアップ光学系の模式的側面図である。
【図５】システムコントロールの概念図である。
【符号の説明】
【００７１】
１０…ＨＤディスク、１１…透明基板厚の厚い記録面、１２…透明基板厚の薄い記録面、１３…対物レンズ、１４…レンズ、１５…光束、１６…光束、１７…最良の収差となる任意の位置、１８…最良の収差となる任意の位置、２０…ＢＤディスク、２１…透明基板厚の厚い記録面、２２…透明基板厚の薄い記録面、２３…対物レンズ、２４…レンズ、２５…光束、２６…光束、２７…最良の収差となる任意の位置、２８…最良の収差となる任意の位置、３１…球面収差補正素子ユニット、３２…レンズホルダ、３３…駆動手段、４０…対物レンズ間隔１００…ＣＤディスク、１０１…ＢＤ/ＨＤ用レーザ、１０２…ＢＤ/ＨＤ光、１０３…ビーム整形素子、１０４…回折格子付き可変偏光切替素子、１０５…偏光ビームスプリッタ、１０６…レンズ、１０７…光検出器、１２０…ＨＤ光、１２１…三角プリズム、１３０…ＢＤ光、１３２…ミラー、１３３…１/４波長板、２００…ＤＶＤディスク、２０１…ＤＶＤレーザ、２０２…ＤＶＤ光、２０３…１/２波長板、２０４…回折格子、２０５…偏光ビームスプリッタ、２０６…レンズ、２０７…光検出器、３０１…ＣＤレーザ、３０２…ＣＤ光、３０３…レンズ、３０４…回折格子、３０５…偏光ビームスプリッタ、３０６…レンズ、３０７…複合立上プリズム、３０８…レンズ、３０９…開口制限素子付き広帯域１／４波長板、３１０…１／２波長板、３１１…波長選択性１／２波長板、３１２…偏光ビームスプリッタ、３１３…レンズ、３１４…光検出器
【図１】
2008065888.tif 000003
【図２】
2008065888.tif 000004
【図３】
2008065888.tif 000005
【図４】
2008065888.tif 000006
【図５】
2008065888.tif 000007